(57)【要約】【課題】  本発明の目的は、書籍の重さによらず確実に書籍を開けやすくする機能を発揮させることができるしおりを提供することである。【解決手段】  書籍の特定の頁を開きやすくするために前記書籍に挟むしおりであって、前記書籍を開く際に書籍に対して動かない固定部と、前記書籍を開く際に前記固定部に対して回転する回転部と、前記回転部が前記固定部に対して回転可能であるように、前記固定部と前記回転部とを接続する接続部材とを備える、しおりである。【選択図】図１
2019151088.tif 000002
【特許請求の範囲】
【請求項１】
書籍の特定の頁を開きやすくするために前記書籍に挟むしおりであって、
前記書籍を開く際に書籍に対して動かない固定部と、
前記書籍を開く際に前記固定部に対して回転する回転部と、
前記回転部が前記固定部に対して回転可能であるように、前記固定部と前記回転部とを接続する接続部材とを備える、しおり。
【請求項２】
前記回転部は、前記固定部と接触する回転接触面を有し、
前記回転接触面は、前記回転部からみて前記固定部に対して凸に弧を描く部分を有する、請求項１記載のしおり。
【請求項３】
前記固定部は、前記回転部と接触する固定接触面を有し、
前記接続部材は、ばね部材を有し、
前記ばね部材は、前記固定接触面と前記回転接触面とが接していない状態において、前記固定接触面と前記回転接触面とが接触する方向に力を及ぼす、請求項２記載のしおり。
【請求項４】
前記回転部は、前記固定部に対して突出する凸部を有し、
前記固定部は、前記回転部に対して突出するストッパー部を有し、
前記凸部は、前記固定接触面と前記回転接触面とが接している状態において、前記ストッパー部と前記固定接触面の間にあって前記ストッパー部と接して設けられている、請求項２記載のしおり。
【請求項５】
前記固定部は、素材が金属であり、
前記固定部は、滑り止め部を有する、請求項１から４のいずれかに記載のしおり。
【発明の詳細な説明】
【技術分野】
【０００１】  本発明は、書籍の特定の頁を開きやすくするために、書籍に挟むしおりに関する。
【背景技術】
【０００２】  従来、本を開けやすくする機能を持つしおりが開発されてきた。特許文献１には、Ｙ型の板バネをはさみ、閉じると圧縮され平らになるしおりが記載されている。このしおりはその平らになった板バネのもとに戻ろうとする力で開こうとするしおりである。
【先行技術文献】
【特許文献】
【０００３】
【特許文献１】特開平０８−２９５０８８号公報
【発明の概要】
【発明が解決しようとする課題】
【０００４】  本発明が解決しようとする特許文献１に記載のしおりの問題点は、厚い本だと力不足で本が開かないかもしれない点と、軽すぎて本が閉じない点、開く力が変えられない点である。【０００５】  そこで、本発明の目的は、書籍の重さによらず確実に書籍を開けやすくする機能を発揮させることができるしおりを提供することである。
【課題を解決するための手段】
【０００６】  本発明の第１の観点は、書籍の特定の頁を開きやすくするために前記書籍に挟むしおりであって、前記書籍を開く際に書籍に対して動かない固定部と、前記書籍を開く際に前記固定部に対して回転する回転部と、前記回転部が前記固定部に対して回転可能であるように、前記固定部と前記回転部とを接続する接続部材とを備える、しおりである。【０００７】  本発明の第２の観点は、第１の観点のしおりであって、前記回転接触面は、前記回転部からみて前記固定部に対して凸に弧を描く部分を有する。【０００８】  本発明の第３の観点は、第２の観点のしおりであって、前記固定部は、前記回転部と接触する固定接触面を有し、前記回転部は、前記固定部と接触する回転接触面を有し、前記接続部材は、ばね部材を有し、前記ばね部材は、前記固定接触面と前記回転接触面とが接していない状態において、前記固定接触面と前記回転接触面とが接触する方向に力を及ぼす。【０００９】  本発明の第４の観点は、第２の観点のしおりであって、前記回転部は、前記固定部に対して突出する凸部を有し、前記固定部は、前記回転部に対して突出するストッパー部を有し、前記凸部は、前記固定接触面と前記回転接触面とが接している状態において、前記ストッパー部と前記固定接触面の間にあって前記ストッパー部と接して設けられている。【００１０】  本発明の第５の観点は、第１から第４のいずれかの観点のしおりであり、前記固定部は、素材が金属であり、前記固定部は、滑り止め部を有する。
【発明の効果】
【００１１】  本発明のしおりは、使用者が回転部を押して回転部が回転することにより書籍を開けやすくするしおりである。書籍の重さを使わないので厚い書籍でも、軽い書籍でもしおりとして利用でき、すぐに書籍を開けやすくすることが出来る。また、手の力が弱い人でも使いやすくなっているという利点がある。【００１２】  さらに、本発明の第２の観点によれば、回転部の書籍を押し上げる部分が凸に弧を描く形状をしているため、書籍を傷つけないで開きやすくすることが容易となる。【００１３】  さらに、本発明の第３の観点によれば、書籍を開いた後に回転部から手を放すと、ひとりでに回転部が固定部と接触するように復帰する。そのため、しおりの使用者が手を煩わせることなく、しおりを元の薄い形状とすることが可能となる。【００１４】  さらに、本発明の第４の観点によれば、ばねを使わずともしおりが意図せず開かないようにすることが可能となる。【００１５】  さらに、本発明の第５の観点によれば、しおりを金属素材によりしっかりした構造としつつ、滑りにくくすることが可能となる。本発明のしおりは、書籍から回転部の一部が出ているときにのみ使用者が回転部を押すことができる。そのため、本発明のしおりを挟んだまま書籍を立てて収納しても、しおりが書籍の内部にすベり落ちにくくすることは特に重要である。
【図面の簡単な説明】
【００１６】
【図１】  本発明のしおりの構造を示す説明図である。
【図２】  本発明のしおりを図１とは反対側から見たときの説明図である。
【図３】  本発明のしおりを本に挟んだ状態を示す図である。
【図４】  本発明のしおりを用いて本を開く場面を示す図である。
【図５】  実施例２のしおりのストッパー部材と凸部を示した断面図である。
【発明を実施するための形態】
【００１７】  本発明のしおりは、本を簡単に開くためにしおりを押し、隙間をつくり、本を開きやすくすることを可能とする。以下、図面を用いながら具体的に説明する。
【実施例１】
【００１８】  図１は、本発明のしおり１の構造を示す説明図である。図２は、しおり１を図１とは反対側から見たときの説明図である。【００１９】  しおり１は、回転部２と固定部５と接続部材６を備える。回転部２と固定部５とは接続部材６で接続されている。回転部２は、固定部５に対して接続部材６周りに回転可能である。接続部材６は、図示しないちょうつがいとばねを有する。なお、しおり１は、アルミニウムで構成されている。【００２０】  しおり１は、縦７ｃｍ、横２ｃｍ、厚さ３ｍｍの直方体ＡＢＣＤ−ＥＦＧＨの形状をしている。ここで、点Ｉは、縦の辺ＦＧ上の点である。また、点Ｌは縦の辺ＢＣ上の点、点Ｍは縦の辺ＡＤ上の点、点Ｐは縦の辺ＥＨ上の点である。点Ｊは、点Ｉから辺ＦＧに対して垂直に辺ＢＣに向かう途中の点である。同様に、点Ｏは、点Ｐから辺ＦＨに対して垂直に辺ＡＤに、点Ｋは、点Ｌから辺ＢＣに対して垂直に辺ＦＧに、点Ｎは、点Ｍから辺ＡＤに対して垂直に辺ＦＨに向かう途中の点である。【００２１】  点Ｉは点Ｐと、直線でつながっており、点Ｊと点Ｏも直線でつながっている。また、点Ｋは点Ｎと弧でつながっており、点Ｌと点Ｍも、弧でつながっている。回転部２が固定部５と接触する回転部２にとっての面ＯＮＫＪを回転接触面と呼ぶ。固定部５が回転部２と接触する固定部５にとっての面ＯＮＫＪを固定接触面と呼ぶ。接続部材６が有するばねは、固定接触面と回転接触面とが接していない状態において、固定接触面と回転接触面とが接触する方向に力を及ぼす。【００２２】  回転部２の面のうち、接続部材６を備える面と反対側の面の一部を押上部３とする。本がしおり１を挟んで回転部２のうち押上部３を含む一部が本の上から出ている状態で、使用者が指で押上部３を押すと、回転部２が固定部５に対して辺ＩＰ及び接続部材６の周りで回転する。結果として、回転部２の面ＭＮＫＬが持ち上がって本を押し上げる。使用者が指を離すと、接続部材６が有するばねの働きにより、回転部２が再び固定部５と接触するように復帰する。そのため、回転した回転部２を戻す手間をかけずにしおり１を本に挟むことができる。【００２３】  また、しおり１は、アルミなどで出来た縦長の回転部２と固定部５を接続部材６で接続して、滑り落ちないようにすべり止め４を固定部２につけた構造をしている。しおり１は軽くて丈夫なアルミニウムを素材とするが、本から滑り落ちることを防止するために、しおり１にとってすべり止め４の存在は重要である。【００２４】  続いて、図３及び図４を用いて、本発明のしおり１の使用方法について説明する。【００２５】  図３において、しおり１が本３０に挟まれている。回転部２の一部である押上部３が本の外に見えている。【００２６】  続いて、図４において、使用者が押上部３を押すことにより、本３０の一部が持ち上がり、特定の頁が開かれている。本３０に接触する回転部２の一部が丸みを帯びているため、本３０を傷つけにくい。【００２７】  しおり１が本３０に挟まれた状態で、回転部２を押すことにより、固定部５が本３０を下に押さえながら回転部２が本３０を持ち上げる。このため、本３０の間に隙間が出来て特定のページを開きやすくする。このため、特定の頁を通り過ぎて１枚１枚め���る必要はない。よって、本３０を開く時間を短縮することができる。また、指先の力が弱い人でも開きやすいしおりになっている。
【実施例２】
【００２８】  続いて、実施例２のしおり２１について図５を用いて述べる。図５は、実施例２のしおりのストッパー部材と凸部を示した断面図である。【００２９】  しおり２１は、実施例１のしおり１と異なる点として、回転部２２が凸部２７を有し、固定部２５がストッパー２８を有する。しおり２１を使わない状態において、凸部２７は、ストッパー２８と固定接触面２９との間にある。また、凸部２７は、ストッパー２８とわずかに引っかかるように接触している。このため、使わないときは回転部２２が動かないようにしおり２１の回転部２２を固定すると共に、使用者が回転部２２を回転させるために押すと、簡単に回転部２２が回転できる。【００３０】  なお、しおり１の素材は、丈夫で書籍を繰り返し押し上げることができる素材であれば、アルミニウム以外の金属でもよいし、金属以外の素材であってもよい。【００３１】  また、接続部材６は、回転部２が固定部５に対して回転することを可能とするものであれば、ちょうつがい以外の回転機構であってもよい。
【符号の説明】
【００３２】  １：しおり、２：回転部、３：押上部、４：すベり止め、５：固定部、６：接続部材    ２１：しおり、２２：回転部、２５：固定部、２７：凸部、２８：ストッパー、２９：固定接触面、３０：本
【図１】
2019151088.tif 000003
【図２】
2019151088.tif 000004
【図３】
2019151088.tif 000005
【図４】
2019151088.tif 000006
【図５】
2019151088.tif 000007
【手続補正書】
【提出日】平成30年11月28日(2018.11.28)
【手続補正１】
【補正対象書類名】特許請求の範囲
【補正対象項目名】全文
【補正方法】変更
【補正の内容】
【特許請求の範囲】
【請求項１】
書籍の特定の頁を開きやすくするために前記書籍に挟むしおりであって、
前記書籍を開く際に前記書籍に対して動かない固定部と、
前記書籍を開く際に前記固定部に対して回転する回転部と、
使用者が指で押す箇所である押上部と、
前記押上部を指で押すことにより、前記回転部が前記固定部に対して回転可能であるように、前記固定部と前記回転部とを接続する接続部材とを備え、
前記回転部と前記固定部とを合わせた形状は、略直方体となるものであり、
前記接続部材を前記略直方体の表面に備え、
前記接続部材を備える表面とは反対側の表面に前記押上部を備える、しおり。
【請求項２】
前記回転部と前記固定部は、それぞれ前記略直方体の向かい合う面の４つの頂点を有しており、
前記回転部は、前記略直方体の形状のときに前記固定部と接触する回転接触面を有し、
前記固定部は、前記略直方体の形状のときに前記回転接触面と接触する固定接触面を有し、
前記回転接触面及び前記固定接触面は、前記向かい合う面と平行ではなく交わる傾きを有する面である、請求項１記載のしおり。
【請求項３】
前記回転部は、前記固定部に対して突出する凸部を有し、
前記固定部は、前記回転部に対して突出するストッパー部を有し、
前記凸部は、前記固定接触面と前記回転接触面とが接している状態において、前記ストッパー部と前記固定接触面の間にあって前記ストッパー部と接して設けられている、請求項２記載のしおり。
【請求項４】
前記固定部は、素材が金属であり、
前記固定部は、滑り止め部を有する、請求項１から３のいずれかに記載のしおり。